(57)【要約】【課題】    ＭＮＰＴを制御する方法が必要とされている。【解決手段】  特定の金属イオンを組織トロンボプラスチンと共存させることにより、ＭＮＰＴを所望の時間に制御・調整することができる。また、該特定の金属イオンを組織トロンボプラスチンと共存させた場合には、トロンボプラスチン試薬を溶液状態で保存した場合の安定性も向上させることができる。【特許請求の範囲】
【請求項１】
組織トロンボプラスチン、及びカルシウムを含む試薬を用いて行う血液凝固時間測定方法において、凝固反応時にコバルトイオン、マンガンイオン、及びリチウムイオンよりなる群より選択される１種又は２種以上のイオンを共存させて行うことを特徴とする正常血漿の凝固時間を予め設定した範囲に調整する方法。
【請求項２】
組織トロンボプラスチン、及びカルシウムを含む血液凝固時間測定試薬において、リン脂質、及びカルシウムを含む試薬中にコバルトイオン、マンガンイオン、及びリチウムイオンよりなる群より選択される１種又は２種以上のイオンを共存させることを特徴とする前記血液凝固時間測定試薬の保存安定性の向上方法。
【請求項３】
リン脂質、及びカルシウムを含む試薬を用いて行う血液凝固時間測定方法において、凝固反応時にコバルトイオン、マンガンイオン、及びリチウムイオンよりなる群より選択される１種又は２種以上のイオンを共存させて行うことを特徴とする正常血漿の凝固時間を予め設定した範囲に調整する方法。
【請求項４】
リン脂質、及びカルシウムを含む血液凝固時間測定試薬において、リン脂質、及びカルシウムを含む試薬中にコバルトイオン、マンガンイオン、及びリチウムイオンよりなる群より選択される１種又は２種以上のイオンを共存させることを特徴とする前記血液凝固時間測定試薬の保存安定性の向上方法。
【発明の詳細な説明】
【技術分野】
【０００１】
本発明は、血液凝固検査における、平均正常プロトロンビン時間の制御と組織トロンボプラスチンを含有する血液凝固時間測定試薬の保存安定性の向上方法に関する。
【背景技術】
【０００２】
抗凝固療法の管理には、プロトロンビン時間（以下、ＰＴということがある。）によるモニタリングが重要である。ＰＴは、組織トロンボプラスチン及びカルシウムイオンを含むトロンボプラスチン試薬を使用して測定を行なう。該試薬は、多種市販されているが、各社の試薬性能にバラツキがあり、また試薬を溶液状態で保存した場合の安定性も不良であった。【０００３】
特許文献１には、ニッケル化合物をトロンボプラスチン試薬に含有させて国際感度指数（ＩＳＩ）を１．５以下に調整する方法、及び該方法を使用した組成物が開示されている。
特許文献２には、非イオン性界面活性剤、ニッケルイオン、及び組織因子を含有する血液凝固測定用試薬が開示され、組織因子の安定化に非イオン性界面活性剤及びニッケルイオンが必須であることが記載されている。【０００４】
しかしながら、いずれの文献にも平均正常プロトロンビン時間（以下、ＭＮＰＴというころがある）の制御に関する記載はない。【０００５】
したがって、ＭＮＰＴを制御する方法が求められていた。
【先行技術文献】
【特許文献】
【０００６】
【特許文献１】特開２００１−２５５３３２
【特許文献１】特開２００８−２４１６２１
【発明の概要】
【発明が解決しようとする課題】
【０００７】
本発明は、血液凝固検査における、平均正常プロトロンビン時間の制御と組織トロンボプラスチンを含有する血液凝固時間測定試薬の保存安定性の向上方法を提供するものである。
【課題を解決するための手段】
【０００８】
本発明者らは、上記課題を解決するべく鋭意検討を行った結果、特定の金属イオンを組織トロンボプラスチンと共存させることにより、ＭＮＰＴを所望の時間に制御・調整することができ、また、該特定の金属イオンを組織トロンボプラスチンと共存させた場合には、トロンボプラスチン試薬を溶液状態で保存した場合の安定性も向上させることができることを見出し、本発明を完成した。【０００９】
すなわち、本発明は一態様において以下のものを提供する。
［１］  組織トロンボプラスチン、及びカルシウムを含む試薬を用いて行う血液凝固時間測定方法において、凝固反応時にコバルトイオン、マンガンイオン、及びリチウムイオンよりなる群より選択される１種又は２種以上のイオンを共存させて行うことを特徴とする正常血漿の凝固時間を予め設定した範囲に調整する方法。
［２］  組織トロンボプラスチン、及びカルシウムを含む血液凝固時間測定試薬において、リン脂質、及びカルシウムを含む試薬中にコバルトイオン、マンガンイオン、及びリチウムイオンよりなる群より選択される１種又は２種以上のイオンを共存させることを特徴とする前記血液凝固時間測定試薬の保存安定性の向上方法。
［３］  リン脂質、及びカルシウムを含む試薬を用いて行う血液凝固時間測定方法において、凝固反応時にコバルトイオン、マンガンイオン、及びリチウムイオンよりなる群より選択される１種又は２種以上のイオンを共存させて行うことを特徴とする正常血漿の凝固時間を予め設定した範囲に調整する方法。
［４］  リン脂質、及びカルシウムを含む血液凝固時間測定試薬において、リン脂質、及びカルシウムを含む試薬中にコバルトイオン、マンガンイオン、及びリチウムイオンよりなる群より選択される１種又は２種以上のイオンを共存させることを特徴とする前記血液凝固時間測定試薬の保存安定性の向上方法。
【発明の効果】
【００１０】
本発明の方法により、血液凝固検査における、平均正常プロトロンビン時間の制御が可能となり、また組織トロンボプラスチンを含有する血液凝固時間測定試薬の保存安定性の向上が可能となった。
【発明を実施するための形態】
【００１１】
以下、本発明の実施形態について説明する。以下の説明は単なる例示であり、本発明の範囲はこれらの説明に拘束されることはなく、本発明の趣旨を損なわない範囲で適宜変更し実施することができる。
【００１２】
（定義）
特に指示がない場合、本明細書に用いられる全ての技術的及び科学的用語は、本発明が属する当業者により一般に理解される意味を有する。
【００１３】
本明細書において、例えば、ある事項について、複数の数値の範囲が示された場合、それら複数の範囲の各々における任意の下限値および任意の上限値の組み合わせからなる範囲も、当該事項に関して記載されている範囲の有する意味と同様の意味を有する。
【００１４】
本明細書において、「ＭＮＰＴ」とは、「平均正常プロトロンビン時間」を意味する。
約１１秒〜約１３秒の範囲が推奨されている。
【００１５】
本発明に用いうる、金属イオンはコバルト、マンガン、及びリチウムよりなる群より選ぶことができる。各金属イオンは、例えば、塩化コバルト、ＥＤＴＡ２ナトリウム・コバルト、塩化マンガン、硫酸マンガン、塩化リチウム、酢酸リチウムなど、市販品の水溶液を調製することで本発明に使用することができる。
【００１６】
本発明に使用可能な各金属イオンの濃度は、他の条件も考慮して実験的に適宜選択することができるが、一例として０．２５ｍｍｏｌ／Ｌ〜３．５ｍｏｌ／Ｌが好適であり、また、０．５ｍｍｏｌ／Ｌ〜３．０ｍｏｌ／Ｌも好適な一例である。
【００１７】
特定の理論に拘泥するわけではないが、本発明の金属イオンの効果は、組織トロンボプラスチン及び／又はリン脂質との相互作用により奏されていることが推定される。
【００１８】
本発明によれば、
［１］  組織トロンボプラスチン、及びカルシウムを含む試薬を用いて行う血液凝固時間測定方法において、凝固反応時にコバルトイオン、マンガンイオン、及びリチウムイオンよりなる群より選択される１種又は２種以上の金属イオンを共存させて行うことを特徴とする正常血漿の凝固時間を予め設定した範囲に調整することが可能となり、
［２］  組織トロンボプラスチン、及びカルシウムを含む血液凝固時間測定試薬において、リン脂質、及びカルシウムを含む試薬中にコバルトイオン、マンガンイオン、及びリチウムイオンよりなる群より選択される１種又は２種以上の金属イオンを共存させることを特徴とする前記血液凝固時間測定試薬の保存安定性を向上させることが可能となり、
［３］  リン脂質、及びカルシウムを含む試薬を用いて行う血液凝固時間測定方法において、凝固反応時にコバルトイオン、マンガンイオン、及びリチウムイオンよりなる群より選択される１種又は２種以上の金属イオンを共存させて行うことを特徴とする正常血漿の凝固時間を予め設定した範囲に調整することが可能となり、
［４］  リン脂質、及びカルシウムを含む血液凝固時間測定試薬において、リン脂質、及びカルシウムを含む試薬中にコバルトイオン、マンガンイオン、及びリチウムイオンよりなる群より選択される１種又は２種以上の金属イオンを共存させることを特徴とする前記血液凝固時間測定試薬の保存安定性を向上させることが可能となる。
【００１９】
また、本発明によれば、平均正常プロトロンビン時間が所望の範囲に制御され、保存安定性の向上した組織トロンボプラスチンを含有する血液凝固時間測定試薬、例えばＰＴ（プロトロンビン時間）測定試薬が提供される。またさらに、本発明により、標準血漿の凝固時間が所望の範囲に制御され、保存安定性の向上したリン脂質を含有する血液凝固時間測定試薬、例えばＡＰＴＴ（活性化部分トロンボプラスチン時間）測定試薬が提供される。
【００２０】
本発明に基づくＰＴ測定試薬は、組織トロンボプラスチン、及びカルシウムを含有する試薬よりなり、また、本発明に基づくＡＰＴＴ測定試薬は、リン脂質、及びカルシウムを含有する試薬よりなり、溶液状態で冷蔵保存が可能な試薬として提供されうる。
【００２１】
本発明を実施するにあたり、血液凝固分野における公知の技術を適宜に組み合わせて使用でき、本発明の思想を逸脱しない限り、どのような改変も可能であることはいうまでもない。
【実施例】
【００２２】
以下、実施例により本発明をさらに詳細に説明するが、本発明はこれらによって限定されるものではない。【００２３】
実施例１．塩化コバルト共存によるＭＮＰＴに与える効果の確認【００２４】
（１−１）試薬及び検体
（１−１−１）トロンボプラスチン試薬
ウサギ脳よりアセトン抽出法により調製した組織トロンボプラスチン抽出物、及び１ｍｍｏｌ／Ｌ塩化カルシウムを含む溶液を調製し、トロンボプラスチン試薬とした。
（１−１−２）塩化コバルト添加トロンボプラスチン試薬
上記トロンボプラスチン試薬に、０．０、０．５、１．０．２．０、３．０、４．０ｍｍｏｌ／Ｌとなるよう塩化コバルトをそれぞれ添加し、各濃度の塩化コバルト添加トロンボプラスチン試薬を調製した。
（１−１−３）正常検体
異なる２ロットの正常クエン酸プール血漿（積水化学社）を使用した。【００２５】
（１−２）プロトロンビン時間の測定方法
上記正常血漿５０μＬを３７℃で孵置した後、ここに上記各濃度の塩化コバルト添加トロンボプラスチン試薬１００μＬを添加し、３７℃で凝固時間を測定した。測定は血液凝固自動分析装置ＣＰ３０００（積水メディカル社）を用いて行った。正常血漿各ロットについて、それぞれｎ＝２で測定して平均値を算出し、さらに２ロット間の平均値を算出して測定値とした。【００２６】
（１−３）結果
塩化コバルト非添加（０ｍｍｏｌ／Ｌ）の場合の凝固時間に対して、塩化コバルト添加（０．５ｍｍｏｌ／Ｌ〜３．０ｍｍｏｌ／Ｌ）の場合の凝固時間は短縮していた。
各測定値を表１に示した。【００２７】
【表１】
2020067171.tif 000002
【００２８】
実施例２．各種添加物質共存によるトロンボプラスチン試薬のＭＮＰＴ、及び試薬保存安定性にあたえる効果の確認【００２９】
（２−１）試薬及び検体
（２−２）プロトロンビン時間の測定方法
（２−１）、（２−２）とも、添加物質を表２の金属塩にした以外、実施例１と同様にして行った。【００３０】
（２−３）保存安定性試験方法
上記各添加物質を添加したトロンボプラスチン試薬を、３７℃で２８日間保存後、正常血漿のプロトロンビン時間を測定し、試薬性能の変動を確認した。【００３１】
（２−４）結果
添加物質非添加（０ｍｍｏｌ／Ｌ）の場合の凝固時間に対して、各添加物質添加（１．０ｍｍｏｌ／Ｌ）の場合の凝固時間は短縮していた（表２中［Ｂ］）。また、３７℃、２８日間保存後の凝固時間は、非添加に対して同等であるか、延長率が低かった（表２中［Ｅ］）。本願発明の添加物質は、組織トロンボプラスチンを含む血液凝固時間測定試薬におけるＭＮＰＴを短縮することができ、また、長期保存安定性を向上させ得ることが確認された。
各測定値を表２に示した。【００３２】
【表２】
2020067171.tif 000003
各値の算出手順は、塩化コバルトを添加した場合を例にすると以下である。
［Bx］=「A1a」/［A0］*100は、97.4［B1a］=12.45「A1a」/12.78［A0］*100であり、
［Dx］=［Cx］-［Ax］は、0.50［D1a］=12.95［C1a］-12.45［A1a］であり、
［Ex］=［Dx］/［D0］*100は、66.7［E1a］=0.50［D1a］/0.75［D0］*100である。
【国際調査報告】
2020067171.tif 000004
2020067171.tif 000005
2020067171.tif 000006
2020067171.tif 000007